(57)【要約】【課題】光軸方向の厚みが薄く、広画角、高変倍比を有し、更に諸収差が良好に補正されたズームレンズ。【解決手段】物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、前記第１レンズ群は、少なくとも１枚の負レンズを有し、以下の条件式を満足することを特徴とするズームレンズ。  １．９＜ｎ1n  ３５＜ν1n但し、ｎ1n：前記負レンズの屈折率、ν1n：前記負レンズのアッベ数【選択図】図１
2008151832.tif 000002
【特許請求の範囲】
【請求項１】
物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第１レンズ群は、少なくとも１枚の負レンズを有し、以下の条件式を満足することを特徴とするズームレンズ。
１．９＜ｎ1n
３５＜ν1n
但し、
ｎ1n：前記負レンズの屈折率
ν1n：前記負レンズのアッベ数
【請求項２】
前記負レンズは、以下の条件式を満足することを特徴とする請求項１に記載のズームレンズ。
２．０＜ｎ1n
４０≦ν1n
但し、
ｎ1n：前記負レンズの屈折率
ν1n：前記負レンズのアッベ数
【請求項３】
物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第１レンズ群は、少なくとも１枚の負レンズを有し、以下の条件式を満足することを特徴とするズームレンズ。
１．８＜ｎ1n
５０＜ν1n
但し、
ｎ1n：前記負レンズの屈折率
ν1n：前記負レンズのアッベ数
【請求項４】
前記負レンズは、透光性セラミックスを使用していることを特徴とする請求項１〜３の何れか１項に記載のズームレンズ。
【請求項５】
前記負レンズは、透光性セラミックスから成る球面レンズ上に非球面樹脂層を形成させた複合非球面レンズであることを特徴とする請求項１〜４の何れか１項に記載のズームレンズ。
【請求項６】
前記第１レンズ群は、以下の条件式を満足することを特徴とする請求項１〜５の何れか１項に記載のズームレンズ。
−１．５＜ｆ1／ｆT＜−０．５
但し、
ｆ1：前記第１レンズ群の焦点距離
ｆT：望遠端における全系の焦点距離
【請求項７】
前記第１レンズ群は、以下の条件式を満足することを特徴とする請求項１〜５の何れか１項に記載のズームレンズ。
−１．１＜ｆ1／ｆT＜−０．７
但し、
ｆ1：前記第１レンズ群の焦点距離
ｆT：望遠端における全系の焦点距離
【請求項８】
物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第２レンズ群は、少なくとも１枚の正レンズを有し、以下の条件式を満足することを特徴とするズームレンズ。
１．９＜ｎ2p
３５＜ν2p
但し、
ｎ2p：前記正レンズの屈折率
ν2p：前記正レンズのアッベ数
【請求項９】
前記正レンズは、以下の条件式を満足することを特徴とする請求項８に記載のズームレンズ。
２．０＜ｎ2p
４０≦ν2p
但し、
ｎ2p：前記正レンズの屈折率
ν2p：前記正レンズのアッベ数
【請求項１０】
物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第２レンズ群は、少なくとも１枚の正レンズを有し、以下の条件式を満足することを特徴とするズームレンズ。
１．８＜ｎ2p
５０＜ν2p
但し、
ｎ2p：前記正レンズの屈折率
ν2p：前記正レンズのアッベ数
【請求項１１】
前記正レンズは、透光性セラミックスを使用していることを特徴とする請求項８〜１０の何れか１項に記載のズームレンズ。
【請求項１２】
前記第２レンズ群は、以下の条件式を満足することを特徴とする請求項８〜１１の何れか１項に記載のズームレンズ。
０．３＜ｆ2／ｆT＜０．９
但し、
ｆ2：前記第２レンズ群の焦点距離
ｆT：望遠端における全系の焦点距離
【請求項１３】
前記第２レンズ群は、以下の条件式を満足することを特徴とする請求項８〜１１の何れか１項に記載のズームレンズ。
０．４＜ｆ2／ｆT＜０．８
但し、
ｆ2：前記第２レンズ群の焦点距離
ｆT：望遠端における全系の焦点距離
【請求項１４】
前記第２レンズ群は、物体側より順に、正レンズ、負レンズ及び正レンズから構成される３枚接合レンズを有することを特徴とする請求項１〜１３の何れか１項に記載のズームレンズ。
【請求項１５】
前記第３レンズ群はプラスチックから成る正レンズ１枚から構成され、以下の条件式を満足することを特徴とする請求項１〜１４の何れか１項に記載のズームレンズ。
０．５＜ｆT／ｆ3＜１．５
但し、
ｆT：望遠端における全系の焦点距離
ｆ3：前記第３レンズ群の焦点距離
【請求項１６】
前記第３レンズ群はプラスチックから成る正レンズ１枚から構成され、以下の条件式を満足することを特徴とする請求項１〜１４の何れか１項に記載のズームレンズ。
０．８＜ｆT／ｆ3＜１．２
但し、
ｆT：望遠端における全系の焦点距離
ｆ3：前記第３レンズ群の焦点距離
【請求項１７】
前記ズームレンズは、少なくとも前記第３レンズ群を移動させて無限遠から有限距離への合焦を行うことを特徴とする請求項１〜１６の何れか１項に記載のズームレンズ。
【請求項１８】
前記ズームレンズは、以下の条件式を満足することを特徴とする請求項１〜１７の何れか１項に記載のズームレンズ。
１．０＜ＳＤ／２Ｙ＜２．０
但し、
ＳＤ：各レンズ群の軸上厚の和
２Ｙ：撮像素子の対角長
【請求項１９】
前記ズームレンズは、以下の条件式を満足することを特徴とする請求項１〜１７の何れか１項に記載のズームレンズ。
１．２＜ＳＤ／２Ｙ＜１．７
但し、
ＳＤ：各レンズ群の軸上厚の和
２Ｙ：撮像素子の対角長
【発明の詳細な説明】
【技術分野】
【０００１】
本発明はズームレンズに関し、デジタルカメラやビデオカメラ等に用いられ、変倍比が３倍程度で広角端の画角が６０°以上であって、特に光軸方向の厚みが薄くコンパクトであり、ＣＣＤ（電荷結合素子）やＣＭＯＳ（相補型金属酸化物半導体）等の撮像素子に好適なズームレンズに関する。
【背景技術】
【０００２】
近年、ＣＣＤやＣＭＯＳを用いたデジタルスチルカメラやビデオカメラ等が多数活用されているが、特に厚みが薄いタイプのカメラの需要が増えている。このタイプのカメラによく用いられる、負正正のパワー配置を有するＣＣＤ用ズームレンズが開示されている（特許文献１，２参照）
【特許文献１】特開２００６−２２７０４０号公報
【特許文献２】特開２００２−３７２６６７号公報
【発明の開示】
【発明が解決しようとする課題】
【０００３】
しかし、上記の特許文献では、球面レンズは従来の研磨ガラス用硝材を使用しており、その限られた屈折率、色分散の範囲内では、レンズの小型化・高性能化に限界があった。
【０００４】
本発明はかかる問題に鑑みてなされたものであり、ガラスより屈折率が高い、若しくは色分散の小さい透光性セラミックスを使用することにより、光軸方向の厚みが薄く、広画角、高変倍比を有し、更に諸収差が良好に補正されたズームレンズを提案することを目的とする。
【課題を解決するための手段】
【０００５】
前記目的は、下記に記載した発明により達成される。
１．物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第１レンズ群は、少なくとも１枚の負レンズを有し、以下の条件式を満足することを特徴とするズームレンズ。
【０００６】
１．９＜ｎ1n                ・・・（１）
３５＜ν1n                  ・・・（２）
但し、
ｎ1n：前記負レンズの屈折率
ν1n：前記負レンズのアッベ数
２．前記負レンズは、以下の条件式を満足することを特徴とする１に記載のズームレンズ。
【０００７】
２．０＜ｎ1n                ・・・（３）
４０≦ν1n                  ・・・（４）
但し、
ｎ1n：前記負レンズの屈折率
ν1n：前記負レンズのアッベ数
３．物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第１レンズ群は、少なくとも１枚の負レンズを有し、以下の条件式を満足することを特徴とするズームレンズ。
【０００８】
１．８＜ｎ1n                ・・・（５）
５０＜ν1n                  ・・・（６）
但し、
ｎ1n：前記負レンズの屈折率
ν1n：前記負レンズのアッベ数
４．前記負レンズは、透光性セラミックスを使用していることを特徴とする１〜３の何れか１項に記載のズームレンズ。
５．前記負レンズは、透光性セラミックスから成る球面レンズ上に非球面樹脂層を形成させた複合非球面レンズであることを特徴とする１〜４の何れか１項に記載のズームレンズ。
６．前記第１レンズ群は、以下の条件式を満足することを特徴とする１〜５の何れか１項に記載のズームレンズ。
【０００９】
−１．５＜ｆ1／ｆT＜−０．５・・・（７）
但し、
ｆ1：前記第１レンズ群の焦点距離
ｆT：望遠端における全系の焦点距離
７．前記第１レンズ群は、以下の条件式を満足することを特徴とする１〜５の何れか１項に記載のズームレンズ。
【００１０】
−１．１＜ｆ1／ｆT＜−０．７・・・（８）
但し、
ｆ1：前記第１レンズ群の焦点距離
ｆT：望遠端における全系の焦点距離
８．物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第２レンズ群は、少なくとも１枚の正レンズを有し、以下の条件式を満足することを特徴とするズームレンズ。
【００１１】
１．９＜ｎ2p                ・・・（９）
３５＜ν2p                  ・・・（１０）
但し、
ｎ2p：前記正レンズの屈折率
ν2p：前記正レンズのアッベ数
９．前記正レンズは、以下の条件式を満足することを特徴とする８に記載のズームレンズ。
【００１２】
２．０＜ｎ2p                ・・・（１１）
４０≦ν2p                  ・・・（１２）
但し、
ｎ2p：前記正レンズの屈折率
ν2p：前記正レンズのアッベ数
１０．物体側より順に、負の屈折力を有する第１レンズ群、正の屈折力を有する第２レンズ群、及び正の屈折力を有する第３レンズ群より構成され、広角端から望遠端への変倍に際し、各レンズ群の間隔を変えることにより変倍を行うズームレンズにおいて、
前記第２レンズ群は、少なくとも１枚の正レンズを有し、以下の条件式を満足することを特徴とするズームレンズ。
【００１３】
１．８＜ｎ2p                ・・・（１３）
５０＜ν2p                  ・・・（１４）
但し、
ｎ2p：前記正レンズの屈折率
ν2p：前記正レンズのアッベ数
１１．前記正レンズは、透光性セラミックスを使用していることを特徴とする８〜１０の何れか１項に記載のズームレンズ。
１２．前記第２レンズ群は、以下の条件式を満足することを特徴とする８〜１１の何れか１項に記載のズームレンズ。
【００１４】
０．３＜ｆ2／ｆT＜０．９    ・・・（１５）
但し、
ｆ2：前記第２レンズ群の焦点距離
ｆT：望遠端における全系の焦点距離
１３．前記第２レンズ群は、以下の条件式を満足することを特徴とする８〜１１の何れか１項に記載のズームレンズ。
【００１５】
０．４＜ｆ2／ｆT＜０．８    ・・・（１６）
但し、
ｆ2：前記第２レンズ群の焦点距離
ｆT：望遠端における全系の焦点距離
１４．前記第２レンズ群は、物体側より順に、正レンズ、負レンズ及び正レンズから構成される３枚接合レンズを有することを特徴とする１〜１３の何れか１項に記載のズームレンズ。
１５．前記第３レンズ群はプラスチックから成る正レンズ１枚から構成され、以下の条件式を満足することを特徴とする１〜１４の何れか１項に記載のズームレンズ。
【００１６】
０．５＜ｆT／ｆ3＜１．５    ・・・（１７）
但し、
ｆT：望遠端における全系の焦点距離
ｆ3：前記第３レンズ群の焦点距離
１６．前記第３レンズ群はプラスチックから成る正レンズ１枚から構成され、以下の条件式を満足することを特徴とする１〜１４の何れか１項に記載のズームレンズ。
【００１７】
０．８＜ｆT／ｆ3＜１．２    ・・・（１８）
但し、
ｆT：望遠端における全系の焦点距離
ｆ3：前記第３レンズ群の焦点距離
１７．前記ズームレンズは、少なくとも前記第３レンズ群を移動させて無限遠から有限距離への合焦を行うことを特徴とする１〜１６の何れか１項に記載のズームレンズ。
１８．前記ズームレンズは、以下の条件式を満足することを特徴とする１〜１７の何れか１項に記載のズームレンズ。
【００１８】
１．０＜ＳＤ／２Ｙ＜２．０  ・・・（１９）
但し、
ＳＤ：各レンズ群の軸上厚の和
２Ｙ：撮像素子の対角長
１９．前記ズームレンズは、以下の条件式を満足することを特徴とする１〜１７の何れか１項に記載のズームレンズ。
【００１９】
１．２＜ＳＤ／２Ｙ＜１．７  ・・・（２０）
但し、
ＳＤ：各レンズ群の軸上厚の和
２Ｙ：撮像素子の対角長
【発明の効果】
【００２０】
本発明のズームレンズによれば、ガラスより屈折率が高い、若しくは色分散の小さい透光性セラミックスを使用することにより、光軸方向の厚みが薄くなり、広画角、高変倍比を有して諸収差が良好に補正されるという効果を奏する。
【発明を実施するための最良の形態】
【００２１】
先ず、本発明のズームレンズについて基本的な構成を説明する。
【００２２】
本発明のズームレンズのレンズタイプは、第１レンズ群が負の屈折力、第２レンズ群が正の屈折力を有しているため、撮影レンズとＣＣＤ面の間にローパスフィルター、赤外カットフィルター及びカバーガラス等を配置するのに充分なバックフォーカスが得られ、また、開口絞りを負の第１レンズ群より後方に配置した場合、この負レンズ群の発散効果により周辺光量比が多く取れるという利点がある。第３レンズ群が正の屈折力を有することにより、テレセントリック性を充分に確保することができ、撮像素子がＣＣＤの場合には特に効果的である。コンパクト性とテレセントリック性を両立させるためには、開口絞りを第２レンズ群の物体側に設けるとよい。赤外カットフィルターを、ローパスフィルター表面にコート処理を施した反射型とすれば、吸収型の赤外カットフィルターガラスを別途挿入する必要がないので、光軸方向の厚みを薄くすることができ、コンパクト性に有利な構成とすることが可能となる。
【００２３】
本実施例で使用されている透光性セラミックスは、比較的アッベ数が大きいため、負の屈折力を有する第１レンズ群では負レンズに、正の屈折力を有する第２レンズ群では正レンズに適用することが好ましい。このレンズと、第１レンズ群ではアッベ数の小さい正レンズを、第２レンズ群ではアッベ数の小さい負レンズを組み合わせることで、良好な色収差補正を実現することができる。また、屈折率が高いため、レンズに同じ屈折力を持たせても、曲率半径を大きくすることができるため、レンズ面で発生する諸収差を抑制することができる。本発明では、第１レンズ群に適用すれば歪曲収差や非点収差を、第２レンズ群に適用すれば球面収差やコマ収差を特に良好に補正することができる。
【００２４】
第２レンズ群を、後述する実施例１〜４のように、物体側から順に正の屈折力を有する３枚接合レンズ、負の屈折力を有するレンズと配置するか、若しくは後述する実施例５〜８のように物体側から順に、正の単レンズ、正レンズと負レンズの接合レンズとすることで、負レンズの光線高さを低くしてペッツバール和を小さくし、像面湾曲を抑えることができる。第２レンズ群を、実施例１〜４のように４枚のレンズで構成する場合、若しくは実施例５〜８のように３枚のレンズで構成する場合、単レンズだけで構成しようとすると、３つ以上のレンズ要素に分解されてしまい、レンズ偏芯、レンズ間隔変化等の誤差要因が増えてしまう。特にコンパクト性を追及して第２レンズ群が薄肉化された場合、各レンズ要素の偏芯誤差感度、面形状誤差感度、厚み・間隔誤差感度等が大きくなり、各レンズの軸出し精度や、光軸方向位置出し精度を非常に高める必要が生じ、生産性が悪くなってしまう。本実施例のように接合レンズを用いれば、実質的に２つのレンズ要素を管理すればよく、比較的生産性を向上させることができる。また、何れの接合レンズでも色収差抑制に大きな威力を発揮する。このように第２レンズ群で発生する収差を小さく抑えることができるので、ズーミング時の収差変動も小さくすることができる。
【００２５】
第１レンズ群を物体側から順に負レンズ、正レンズの２枚構成とすることにより、レンズ厚が薄く前玉径の小さいコンパクトな光学系を達成することができる。負レンズ、負レンズ及び正レンズの３枚構成とすると、負のパワーを分割して小さくできるので、この群で発生する負の歪曲収差等を良好に補正することができるが、コンパクト性は失われてしまう。また、第１レンズ群に非球面を使用することにより、歪曲収差や非点収差等を効果的に補正することができる。特に屈折率の高い透光性セラミックスを使用した球面レンズと、非球面樹脂とを複合化することで、ガラスモールドレンズやプラスチックレンズに比べ、前記収差の補正効果が大きくなる。
【００２６】
本発明では第３レンズ群が１枚の正レンズから構成されているが、このレンズタイプでは第３レンズ群以降にパワーを持った光学素子が存在しないので、第３レンズ群で発生する収差はその後の光線経路においては拡大されず目立ちにくい。そのため、この群で必ずしも正負２枚以上のレンズで色消し等を行わなくとも全系の光学性能へ与える影響が小さく、正レンズ１枚という簡素な構成でもよくなる。更に、この群にガラスより軽いプラスチックレンズを使用することにより、ズーミングやフォーカシングで第３レンズ群を移動させる際の駆動機構に与える負荷をより軽減することができる。第３レンズ群にプラスチックレンズを使用した際、この群の倍率が比較的小さく、ここを通過する軸上光線高さが低く軸外光線太さは細いため、温度変化によるレンズ形状変化や屈折率変化が生じても、ピント移動量は比較的小さく、光学性能の劣化も小さくて済む。また、プラスチックレンズの使用は、レンズのコストダウンにも寄与する。なお、第３レンズ群にガラスモールド非球面や複合（ハイブリッド）非球面を使用しても良好な光学性能を保つことができる。
【００２７】
本ズームレンズでは、無限遠物体から近距離物体へ合焦する際、第３レンズ群を物体側へ移動させる、いわゆるリアフォーカスを採用している。第１レンズ群でフォーカシングしようとすると至近距離での周辺光量比を確保するのに前玉径が大きくなってしまうが、第３群によるフォーカシングではそのようなことがないのでコンパクト性を保つことができる。
【００２８】
次に、本発明のズームレンズの条件式について説明する。
【００２９】
条件式（１）、（２）、（５）、（６）は、２種類の透光性セラミックスレンズを、第１レンズ群内の負レンズに適用したときの屈折率と色分散とを規定したものである。この値が下限値以上であれば、先に述べたように、充分に屈折率が高く、色分散が小さいので、歪曲収差や非点収差、及び色収差を良好に補正することができる。特に、条件式（１）では歪曲収差や非点収差を、条件式（６）では倍率色収差を抑制する効果が高い。望ましくは、条件式（３）、（４）を満たすことが好ましい。
【００３０】
条件式（９）、（１０）、（１３）、（１４）は、２種類の透光性セラミックスレンズを、第２レンズ群内の正レンズに適用したときの屈折率と色分散とを規定したものである。この値が下限値以上であれば、先に述べたように、充分に屈折率が高く、色分散が小さいので、球面収差やコマ収差、および色収差を良好に補正することができる。特に、条件式（９）では球面収差やコマ収差を、条件式（１４）では軸上色収差を抑制する効果が高い。望ましくは、条件式（１１）、（１２）を満たすことが好ましい。
【００３１】
条件式（７）は、第１レンズ群の焦点距離と望遠端における全系の焦点距離との関係を規定したものである。この値が下限値以上であれば、第１レンズ群のパワーが大きくなり過ぎることによってこの群で発生する諸収差が大きくなり過ぎず、良好な光学性能を保つことができる。一方、この値が上限値以下であれば、第１レンズ群のパワーが小さくなり過ぎることによって第２レンズ群以降の横倍率が小さくなり、その結果レンズ全長が長くなりコンパクト性を損なってしまう、ということがない。望ましくは、条件式（８）を満たすことが好ましい。
【００３２】
条件式（１５）は、第２レンズ群の焦点距離と望遠端における全系の焦点距離との関係を規定したものである。この値が下限値以上であれば、第２レンズ群のパワーが大きくなり過ぎることによってこの群で発生する諸収差が大きくなり過ぎず、良好な光学性能を保つことができる。一方、この値が上限値以下であれば、第２レンズ群のパワーが小さくなり過ぎることによって変倍時の第２レンズ群の移動量が多くなり、その結果レンズ全長が長くなりコンパクト性を損なってしまうということがない。望ましくは、条件式（１６）を満たすことが好ましい。
【００３３】
条件式（１７）は、望遠端における全系の屈折力と、第３レンズ群の屈折力との関係を規定したものである。この値が下限値以上であれば、第３レンズ群のパワーが小さくなり過ぎることによってフォーカシング時の移動量が多くなり過ぎず、コンパクト性を損なうことがない。一方、この値が上限値以下であれば第３レンズ群のパワーが大きくなり過ぎず、この群で発生する歪曲収差や非点収差、レンズの偏芯誤差、レンズ面形状誤差、レンズ厚み・間隔誤差等による光学性能劣化が小さくて済み、良好な光学性能を保つことができる。またこの群がプラスチックレンズからなる場合には温度変化時のピント移動量を小さく抑えることができる。望ましくは、条件式（１８）を満たすことが好ましい。
【００３４】
条件式（１９）は、各レンズ群の軸上厚の和と撮像素子の対角長との関係を規定したものである。この値が下限値以上であれば、レンズ厚が薄過ぎないので、レンズの偏芯誤差、レンズ面形状誤差、レンズ厚み・間隔誤差等による光学性能劣化が小さくて済み、良好な光学性能を保つことができる。この値が上限値以下であれば、レンズ厚が厚くなり過ぎることによってコンパクト性を損なうことがない。望ましくは、条件式（２０）を満たすことが好ましい。
【実施例】
【００３５】
以下に本発明のズームレンズに関する実施例を示す。
【００３６】
なお、以下に示す符号は下記の通りである。
【００３７】
ｆ：全系の焦点距離
Ｆ：Ｆナンバー
ω：半画角
Ｒ：曲率半径
ｄ：レンズ間隔
ｎd：ｄ線に対する屈折率
νd：アッベ数
また、非球面の形状は、面の頂点を原点とし、光軸方向にＸ軸を取り、光軸と垂直方向の高さをｈとして、以下の数１で表す。
【００３８】
【数１】
2008151832.tif 000003
【００３９】
但し、
Ａi：ｉ次の非球面係数
Ｒ：曲率半径
Ｋ：円錐定数
また、各実施例におけるレンズ構成図において、レンズ最終面の後方に位置する部材は前方から順にローパスフィルタとカバーガラスである。
（実施例１）
全体諸元を以下に示す。
【００４０】
ｆ＝８．１４〜２２．９３
Ｆ＝２．８８〜５．２８
ω＝３１．２°〜１１．６°
レンズデータを表１に示す。
【００４１】
【表１】
2008151832.tif 000004
【００４２】
但し、第１レンズは球面の透光性セラミックレンズと非球面樹脂層とからなる複合非球面レンズであり、第５レンズは球面の透光性セラミックスレンズであり、第７レンズはプラスチック非球面レンズである。
【００４３】
非球面係数を表２に示す。
【００４４】
【表２】
2008151832.tif 000005
【００４５】
可変するレンズ間隔を表３に示す。
【００４６】
【表３】
2008151832.tif 000006
【００４７】
プラスチックレンズの温度変化によるピント移動量を表４に示す。
【００４８】
【表４】
2008151832.tif 000007
【００４９】
図１は広角端におけるレンズ構成図である。
【００５０】
図２は広角端における収差図である。
【００５１】
図３は中間焦点距離における収差図である。
【００５２】
図４は望遠端における収差図である。
（実施例２）
全体諸元を以下に示す。
【００５３】
ｆ＝８．１４〜２２．９３
Ｆ＝２．８８〜５．２８
ω＝３１．２°〜１１．６°
レンズデータを表５に示す。
【００５４】
【表５】
2008151832.tif 000008
【００５５】
但し、第１レンズは球面の透光性セラミックレンズと非球面樹脂層とからなる複合非球面レンズであり、第５レンズは球面の透光性セラミックスレンズであり、第７レンズはプラスチック非球面レンズである。
【００５６】
非球面係数を表６に示す。
【００５７】
【表６】
2008151832.tif 000009
【００５８】
可変するレンズ間隔を表７に示す。
【００５９】
【表７】
2008151832.tif 000010
【００６０】
プラスチックレンズの温度変化によるピント移動量を表８に示す。
【００６１】
【表８】
2008151832.tif 000011
【００６２】
図５は広角端におけるレンズ構成図である。
【００６３】
図６は広角端における収差図である。
【００６４】
図７は中間焦点距離における収差図である。
【００６５】
図８は望遠端における収差図である。
（実施例３）
全体諸元を以下に示す。
【００６６】
ｆ＝８．１４〜２２．９３
Ｆ＝２．８８〜５．２８
ω＝３１．２°〜１１．６°
レンズデータを表９に示す。
【００６７】
【表９】
2008151832.tif 000012
【００６８】
但し、第１レンズは球面の透光性セラミックレンズと非球面樹脂層とからなる複合非球面レンズであり、第５レンズは球面の透光性セラミックスレンズであり、第７レンズはプラスチック非球面レンズである。
【００６９】
非球面係数を表１０に示す。
【００７０】
【表１０】
2008151832.tif 000013
【００７１】
可変するレンズ間隔を表１１に示す。
【００７２】
【表１１】
2008151832.tif 000014
【００７３】
プラスチックレンズの温度変化によるピント移動量を表１２に示す。
【００７４】
【表１２】
2008151832.tif 000015
【００７５】
図９は広角端におけるレンズ構成図である。
【００７６】
図１０は広角端における収差図である。
【００７７】
図１１は中間焦点距離における収差図である。
【００７８】
図１２は望遠端における収差図である。
（実施例４）
全体諸元を以下に示す。
【００７９】
ｆ＝８．１４〜２２．９３
Ｆ＝２．８８〜５．２８
ω＝３１．２°〜１１．６°
レンズデータを表１３に示す。
【００８０】
【表１３】
2008151832.tif 000016
【００８１】
但し、第１レンズは球面の透光性セラミックレンズと非球面樹脂層とからなる複合非球面レンズであり、第５レンズは球面の透光性セラミックスレンズであり、第７レンズはプラスチック非球面レンズである。
【００８２】
非球面係数を表１４に示す。
【００８３】
【表１４】
2008151832.tif 000017
【００８４】
可変するレンズ間隔を表１５に示す。
【００８５】
【表１５】
2008151832.tif 000018
【００８６】
プラスチックレンズの温度変化によるピント移動量を表１６に示す。
【００８７】
【表１６】
2008151832.tif 000019
【００８８】
図１３は広角端におけるレンズ構成図である。
【００８９】
図１４は広角端における収差図である。
【００９０】
図１５は中間焦点距離における収差図である。
【００９１】
図１６は望遠端における収差図である。
（実施例５）
全体諸元を以下に示す。
【００９２】
ｆ＝８．２５〜２３．３５
Ｆ＝２．８８〜５．０５
ω＝３０．９°〜１１．４°
レンズデータを表１７に示す。
【００９３】
【表１７】
2008151832.tif 000020
【００９４】
但し、第１レンズは球面の透光性セラミックレンズと非球面樹脂層とからなる複合非球面レンズであり、第４レンズは球面の透光性セラミックスレンズであり、第６レンズはプラスチック非球面レンズである。
【００９５】
非球面係数を表１８に示す。
【００９６】
【表１８】
2008151832.tif 000021
【００９７】
可変するレンズ間隔を表１９に示す。
【００９８】
【表１９】
2008151832.tif 000022
【００９９】
プラスチックレンズの温度変化によるピント移動量を表２０に示す。
【０１００】
【表２０】
2008151832.tif 000023
【０１０１】
図１７は広角端におけるレンズ構成図である。
【０１０２】
図１８は広角端における収差図である。
【０１０３】
図１９は中間焦点距離における収差図である。
【０１０４】
図２０は望遠端における収差図である。
（実施例６）
全体諸元を以下に示す。
【０１０５】
ｆ＝８．２５〜２３．３５
Ｆ＝２．８８〜５．０５
ω＝３０．９°〜１１．４°
レンズデータを表２１に示す。
【０１０６】
【表２１】
2008151832.tif 000024
【０１０７】
但し、第１レンズは球面の透光性セラミックレンズと非球面樹脂層とからなる複合非球面レンズであり、第４レンズは球面の透光性セラミックスレンズであり、第６レンズはプラスチック非球面レンズである。
【０１０８】
非球面係数を表２２に示す。
【０１０９】
【表２２】
2008151832.tif 000025
【０１１０】
可変するレンズ間隔を表２３に示す。
【０１１１】
【表２３】
2008151832.tif 000026
【０１１２】
プラスチックレンズの温度変化によるピント移動量を表２４に示す。
【０１１３】
【表２４】
2008151832.tif 000027
【０１１４】
図２１は広角端におけるレンズ構成図である。
【０１１５】
図２２は広角端における収差図である。
【０１１６】
図２３は中間焦点距離における収差図である。
【０１１７】
図２４は望遠端における収差図である。
（実施例７）
全体諸元を以下に示す。
【０１１８】
ｆ＝８．２５〜２３．３５
Ｆ＝２．８８〜５．０５
ω＝３０．９°〜１１．４°
レンズデータを表２５に示す。
【０１１９】
【表２５】
2008151832.tif 000028
【０１２０】
但し、第１レンズは球面の透光性セラミックレンズと非球面樹脂層とからなる複合非球面レンズであり、第４レンズは球面の透光性セラミックスレンズであり、第６レンズはプラスチック非球面レンズである。
【０１２１】
非球面係数を表２６に示す。
【０１２２】
【表２６】
2008151832.tif 000029
【０１２３】
可変するレンズ間隔を表２７に示す。
【０１２４】
【表２７】
2008151832.tif 000030
【０１２５】
プラスチックレンズの温度変化によるピント移動量を表２８に示す。
【０１２６】
【表２８】
2008151832.tif 000031
【０１２７】
図２５は広角端におけるレンズ構成図である。
【０１２８】
図２６は広角端における収差図である。
【０１２９】
図２７は中間焦点距離における収差図である。
【０１３０】
図２８は望遠端における収差図である。
（実施例８）
全体諸元を以下に示す。
【０１３１】
ｆ＝８．２５〜２３．３５
Ｆ＝２．８８〜５．０５
ω＝３０．９°〜１１．４°
レンズデータを表２９に示す。
【０１３２】
【表２９】
2008151832.tif 000032
【０１３３】
但し、第１レンズは球面の透光性セラミックレンズと非球面樹脂層とからなる複合非球面レンズであり、第４レンズは球面の透光性セラミックスレンズであり、第６レンズはプラスチック非球面レンズである。
【０１３４】
非球面係数を表３０に示す。
【０１３５】
【表３０】
2008151832.tif 000033
【０１３６】
可変するレンズ間隔を表３１に示す。
【０１３７】
【表３１】
2008151832.tif 000034
【０１３８】
プラスチックレンズの温度変化によるピント移動量を表３２に示す。
【０１３９】
【表３２】
2008151832.tif 000035
【０１４０】
図２９は広角端におけるレンズ構成図である。
【０１４１】
図３０は広角端における収差図である。
【０１４２】
図３１は中間焦点距離における収差図である。
【０１４３】
図３２は望遠端における収差図である。
【０１４４】
最後に、実施例１〜８における前述の条件式１〜２０に対応する値を表３３に示す。
【０１４５】
【表３３】
2008151832.tif 000036
【図面の簡単な説明】
【０１４６】
【図１】実施例１のズームレンズにおける広角端におけるレンズ構成図である。
【図２】実施例１のズームレンズにおける広角端における収差図である。
【図３】実施例１のズームレンズにおける中間焦点距離における収差図である。
【図４】実施例１のズームレンズにおける望遠端における収差図である。
【図５】実施例２のズームレンズにおける広角端におけるレンズ構成図である。
【図６】実施例２のズームレンズにおける広角端における収差図である。
【図７】実施例２のズームレンズにおける中間焦点距離における収差図である。
【図８】実施例２のズームレンズにおける望遠端における収差図である。
【図９】実施例３のズームレンズにおける広角端におけるレンズ構成図である。
【図１０】実施例３のズームレンズにおける広角端における収差図である。
【図１１】実施例３のズームレンズにおける中間焦点距離における収差図である。
【図１２】実施例３のズームレンズにおける望遠端における収差図である。
【図１３】実施例４のズームレンズにおける広角端におけるレンズ構成図である。
【図１４】実施例４のズームレンズにおける広角端における収差図である。
【図１５】実施例４のズームレンズにおける中間焦点距離における収差図である。
【図１６】実施例４のズームレンズにおける望遠端における収差図である。
【図１７】実施例５のズームレンズにおける広角端におけるレンズ構成図である。
【図１８】実施例５のズームレンズにおける広角端における収差図である。
【図１９】実施例５のズームレンズにおける中間焦点距離における収差図である。
【図２０】実施例５のズームレンズにおける望遠端における収差図である。
【図２１】実施例６のズームレンズにおける広角端におけるレンズ構成図である。
【図２２】実施例６のズームレンズにおける広角端における収差図である。
【図２３】実施例６のズームレンズにおける中間焦点距離における収差図である。
【図２４】実施例６のズームレンズにおける望遠端における収差図である。
【図２５】実施例７のズームレンズにおける広角端におけるレンズ構成図である。
【図２６】実施例７のズームレンズにおける広角端における収差図である。
【図２７】実施例７のズームレンズにおける中間焦点距離における収差図である。
【図２８】実施例７のズームレンズにおける望遠端における収差図である。
【図２９】実施例８のズームレンズにおける広角端におけるレンズ構成図である。
【図３０】実施例８のズームレンズにおける広角端における収差図である。
【図３１】実施例８のズームレンズにおける中間焦点距離における収差図である。
【図３２】実施例８のズームレンズにおける望遠端における収差図である。
【図１】
2008151832.tif 000037
【図２】
2008151832.tif 000038
【図３】
2008151832.tif 000039
【図４】
2008151832.tif 000040
【図５】
2008151832.tif 000041
【図６】
2008151832.tif 000042
【図７】
2008151832.tif 000043
【図８】
2008151832.tif 000044
【図９】
2008151832.tif 000045
【図１０】
2008151832.tif 000046
【図１１】
2008151832.tif 000047
【図１２】
2008151832.tif 000048
【図１３】
2008151832.tif 000049
【図１４】
2008151832.tif 000050
【図１５】
2008151832.tif 000051
【図１６】
2008151832.tif 000052
【図１７】
2008151832.tif 000053
【図１８】
2008151832.tif 000054
【図１９】
2008151832.tif 000055
【図２０】
2008151832.tif 000056
【図２１】
2008151832.tif 000057
【図２２】
2008151832.tif 000058
【図２３】
2008151832.tif 000059
【図２４】
2008151832.tif 000060
【図２５】
2008151832.tif 000061
【図２６】
2008151832.tif 000062
【図２７】
2008151832.tif 000063
【図２８】
2008151832.tif 000064
【図２９】
2008151832.tif 000065
【図３０】
2008151832.tif 000066
【図３１】
2008151832.tif 000067
【図３２】
2008151832.tif 000068